(57)【要約】      （修正有）【課題】ミラーキャビネットやキッチンキャビネット等の水回り家具に設けられる棚の取付け用係合孔を経由した取付け面の裏面への水の侵入を防止する。【解決手段】棚の係止片と係合する係合孔を備えた水回り家具において、前記係合孔の表面側上部に、頂点１３ａから左右に下降する保水溝１１あるいは浸水防止凸部等の水滴誘導機構を設け、水滴を前記係合孔の左右へ誘導することで裏面への水の侵入を防止できる水回り家具を提供する。【選択図】図４
2011206387.tif 000002
【特許請求の範囲】
【請求項１】
係止片と係合する係合孔を備えた水回り家具であって、
前記係合孔の上部に、水滴を前記係合孔の左右へ誘導する水滴誘導機構が設けられたことを特徴とする水回り家具
【請求項２】
前記水滴誘導機構が、前記係合孔の周辺に設けられた保水溝であることを特徴とする請求項１に記載の水回り家具
【請求項３】
前記水滴誘導機構が、前記係合孔の周辺に設けられた進水防止凸部であることを特徴とする請求項１に記載の水回り家具
【請求項４】
前記水滴誘導機構は、少なくとも前記係合孔の上端よりも上方から設けられていることを特徴とする請求項１乃至３の何れか一項に記載の水回り家具
【請求項５】
前記水滴誘導機構は、少なくとも係合孔の下端より下方まで設けられていることを特徴とする請求項１乃至４の何れか１項に記載の水回り家具
【請求項６】
前記水滴誘導機構は、前記係合孔の上端よりも上方に頂点を有し、頂点から左右に傾斜していることを特徴とする請求項１乃至５の何れか１項に記載の水回り家具
【発明の詳細な説明】
【技術分野】
【０００１】
本発明は、棚などが係合するための係合孔を備えた水回り家具に関する発明である。
【背景技術】
【０００２】
従来のミラーキャビネットなどの水回り家具に設けられた係合孔に、係止片を有する棚などを係合させて取り付ける構造が知られている。（例えば、特許文献１参照）
この場合、水回り家具特有の問題として、水を仕様する作業が多く、この作業中に飛散した水が水回り家具に付着し、係合孔に侵入することによって水回り家具の裏面側及び建物躯体の壁面を汚したり、水で濡らしたりするという問題があった。
【０００３】
このような問題を解決するために、係合孔の下部に水受け部を設け、係合孔に侵入した水を下部から正面へ排出する構造が提案されている。（例えば、特許文献２参照）
このような場合においても、係合孔から侵入した水の全てが下部の水受け部に収まらず、水回り家具の裏面側及び建物躯体の壁面に飛散する恐れがあった。また、飛散した水滴に洗剤などが含まれる場合、係合孔に付着することによって基材を劣化させ、破損しやすくなる恐れがあるという課題が存在していた。
【先行技術文献】
【特許文献】
【０００４】
【特許文献１】実開昭４８−０９５８９７
【特許文献２】特開２０００−２９６０６７
【発明の概要】
【発明が解決しようとする課題】
【０００５】
本発明は、上記問題を解決するためになされたもので、本発明の課題は、水回り家具に設けられた係合孔への水の侵入を防止することである。
【課題を解決するための手段】
【０００６】
上記目的を達成するために請求項１記載の発明によれば、係止片と係合する係合孔を備えた水回り家具であって前記係合孔の上部に、水滴を前記係合孔の左右へ誘導する水滴誘導機構が設けられたことを特徴とする水回り家具が提供される。
これによれば、水回り家具に飛散・付着した水滴が水滴誘導機構によって係合孔の左右に誘導され、係合孔への水の侵入を防止できるという効果を奏する。
【０００７】
また、請求項２記載の発明によれば、前記水滴誘導機構が、前記係合孔の周辺に設けられた保水溝であることを特徴とする請求項１に記載の水回り家具が提供される。
これによれば、水回り家具に飛散・付着した水滴が保水溝に保水されることによって、左右に誘導され、係合孔への水の侵入を防止することが可能となる。
【０００８】
また、請求項３記載の発明によれば、前記水滴誘導機構が、前記係合孔の周辺に設けられた進水防止凸部であることを特徴とする請求項１に記載の水回り家具が提供される。
これによれば、水回り家具に飛散・付着した水滴が進水防止凸部によって、それより下部への浸水が防止される。また、進水防止凸部に沿って左右に誘導され、係合孔への水の侵入を防止することが可能となる。
【０００９】
また、請求項４記載の発明によれば、前記水滴誘導機構は、少なくとも前記係合孔の上端よりも上方から設けられていることを特徴とする請求項１乃至３の何れか一項に記載の水回り家具が提供される。
これによれば、係合孔の上部に付着した水滴を左右に誘導することが可能となり、係合孔への水の侵入を防止することが可能となる。
【００１０】
また、請求項５記載の発明によれば、前記水滴誘導機構は、少なくとも係合孔の下端より下方まで設けられていることを特徴とする請求項１乃至４の何れか１項に記載の水回り家具が提供される。
これによれば、水滴が係合孔より下部まで誘導されることにより、係合孔への水の侵入の可能性をさらに低減することが可能となる。
【００１１】
また、請求項６記載の発明によれば、前記水滴誘導機構は、前記係合孔の上端よりも上方に頂点を有し、頂点から左右に傾斜していることを特徴とする請求項１乃至５の何れか１項に記載の水回り家具が提供される。
これによれば、水滴誘導機構が水平な場合と比較して、より効率的に水滴を誘導するｋとが可能となり、係合孔への浸水の可能性をさらに低減することが可能となる。
【発明の効果】
【００１２】
本発明によれば、水回り家具に設けられた係合孔への水の侵入を防止するという効果がある。
【図面の簡単な説明】
【００１３】
【図１】本発明の実施形態に係るミラーキャビネットＡを示す斜視図である。
【図２】本発明の実施形態に係るミラーキャビネットＡの、棚Ｂを外した状態を示す斜視図である。
【図３】本発明の実施形態に係る棚Ｂの背面斜視図である。
【図４】第一の実施例における係合孔周辺の水滴誘導機構を示す図である。
【図５】第二の実施例における係合孔周辺の水滴誘導機構を示す図である。
【発明を実施するための形態】
【００１４】
以下、添付図面を参照しながら、本発明の実施の形態について説明する。図１は、本発明の実施の形態に係る水滴誘導機構が適用されるミラーキャビネットＡを示す斜視図である。
ミラーキャビネットＡには、髪止めやコンタクトレンズなどを載置できる棚Ｂが取り付けられている。
【００１５】
図２にミラーキャビネットＡから棚Ｂを取り外した状態の斜視図を示す。図２に示すように、ミラーキャビネットＡは係合孔１０を備えている、、また、図３に棚Ｂの背面斜視図を示す。図３に示すように、棚Ｂはその背面に係止片２０を備えている。
ミラーキャビネットＡの係合孔１０に、棚Ｂの係止片２０を係合することで、棚ＢをミラーキャビネットＡに装着するように構成されている。
【００１６】
図４は第一の実施例に係る係合孔１０周辺に設けた水滴誘導機構Ｃを示す斜視図である。
第一の実施例では水滴誘導機構として、保水溝１１を設けている。係合孔１０より上部のミラーキャビネットＡの壁面１に取り付いた水滴は、重力によって下方へと垂れていく。保水溝１１により、水滴を保水し、左右方向へ誘導することによって係合孔１０へ水滴が侵入することを防ぐことができる。
このように、係合孔１０周辺に保水溝１１を設けることで、特殊な構造を用いずに水を誘導し、係合孔１０への水の侵入を防ぐことができる。
【００１７】
図４に示すように、保水溝１１は、少なくとも係合孔１０の上端よりも上から設けることが好ましい。これにより、、係合孔１０より上部に付着した水滴が、係合孔１０へ侵入しないように確実に水を誘導することができる。
【００１８】
図４に示すように、保水溝１１は、少なくとも係合孔１０の下端よりも下方まで設けることが好ましい。これにより、係合孔１０に水が侵入しないように確実に水を係合孔１０の下方まで誘導することができる。
【００１９】
図４に示すように、保水溝１１は、係合孔１０の上端よりも上方に頂点１３ａを有し、頂点１３ａから左右に傾斜することが好ましい。これにより、保水溝１１が係合孔１０の上部で水平な場合と比較して、誘導効率を向上させることができる。
【００２０】
図５は第二の実施例における係合孔１０周辺に設けた水滴誘導機構Ｃを示す斜視図である。第二の実施例では水滴誘導機構として、進水防止凸部１２を設けている。係合孔１０より上部のミラーキャビネットＡの壁面１に取り付いた水滴は、重力によって下方へと垂れていく。進水防止凸部１２を設けることにより、進水防止凸部１２より下方へ水滴が侵入することを防止しながら左右へ誘導し、係合孔１０へ水滴が侵入することを防ぐことができる。このように、係合孔１０周辺に進水防止凸部１２を設けることで、特殊な構造を用いずに水を阻止し、係合孔１０への水の侵入を防ぐことができる。
【００２１】
図５に示した第二の実施例においても、第一の実施例同様の位置に水滴誘導機構Ｃたる進水防止凸部１２を設けることが好ましい。つまり、係合孔１０の上端よりも上方に頂点１３ｂを有し、頂点１３ｂから左右に傾斜することが好ましい。
【００２２】
以上、具体例を参照しつつ本発明の実施の形態について説明した。しかし、本発明はこれらの具体例に限定されるものではない。すなわち、これら具体例に、当業者が適宜設計変更を加えたものも、本発明の特徴を備えている限り、本発明の範囲に包含される。例えば、前述した各具体例が備える各要素およびその配置、材料、条件、形状、サイズなどは、例示したものに限定されるわけではなく適宜変更することができる。また、前述した各実施の形態が備える各要素は、技術的に可能な限りにおいて組み合わせることができ、これらを組み合わせたものも本発明の特徴を含む限り本発明の範囲に包含される。
例えば、今回は水回り家具としてミラーキャビネットを採用した場合について説明を行ったが、その他にキッチンキャビネットや手洗器などの水回り家具に対しても本発明を適用することが可能である。
【符号の説明】
【００２３】
Ａ：ミラーキャビネット
Ｂ：棚
１：壁面
１０：係合孔
１１：保水溝
１２：進水防止凸部
１３ａ，ｂ：頂点
２０：係止片
【図１】
2011206387.tif 000003
【図２】
2011206387.tif 000004
【図３】
2011206387.tif 000005
【図４】
2011206387.tif 000006
【図５】
2011206387.tif 000007